(57)【特許請求の範囲】
【請求項１】
（ａ）上型と下型とからなる金型において、そのキャビティーの底部に突起が設けられた下型に、有底略円筒状の凹所を有する中子を装填する工程、
（ｂ）前記中子の凹所内に磁性粉体とシリコーン油の混合物を注入する工程、
（ｃ）前記工程（ｂ）に引き続き、所定の時間加熱し、前記下型から略円盤状の磁石を取り出す工程、
（ｄ）前記工程（ｃ）に引き続き、前記金型の下型に熱硬化型シリコーンを注入する工程、
（ｅ）前記工程（ｄ）において注入された熱硬化型シリコーン内に、前記工程（ｃ）により得られた略円盤状の磁石を浸漬する工程、および
（ｆ）前記上型と下型との間に布帛を狭持したのち金型を閉じ、加圧・加熱して成形する工程
を含んでなる磁気治療用布帛の製法。
【請求項２】
前記磁性粉体とシリコーン油の配合比率が７：３〜９：１である請求項１記載の磁気治療用布帛の製法。
【発明の詳細な説明】
【技術分野】
【０００１】
本発明は磁気治療用布帛および該磁気治療用布帛の製法に関する。さらに詳しくは、磁気治療具が加熱・加圧されることによって布帛の表面に固着された磁気治療用布帛およびその製法に関する。
【背景技術】
【０００２】
身体には凝りなどの血液の循環に支障をきたす等の様々な症状がみられ、これらの症状に対して永久磁石の磁気を利用して血行をよくしたり、遠赤外線を放射する鉱石類を用いて血液の循環を促進したものがあり、これらの磁石類は、加熱発泡型の合成樹脂からなる加熱溶融体を接着剤として、または縫製等の手段で下着類を始めとする直接肌に接する各種の身につける着衣に取付けられている。
【０００３】
また、放射性鉱物の微粉末と樹脂との混合体を布地に塗布した健康材料をサポーターや寝具、衣服に装着したものが知られている。
【０００４】
しかしながら、これらの磁石や鉱物類は肌と接触させることによって、その効果が発揮されて、健康増進用の機能を有している半面、同時に接着剤として用いられている加熱発泡型の合成樹脂の加熱溶融体も肌と直接接触することになり、アレルギー性の体質をもっている場合にはかぶれや湿疹等の悪影響が生じる恐れがみられ、また、縫製により取付ける場合には磁石の磁力により針が吸い寄せられるという取付の際の不具合がみられ手間を有するばかりでなく、磁石が動いて目的と場所に設置しにくいという問題を有していた。
【０００５】
かかる問題を解決するものとして、着衣に永久磁石を取付ける基布の下面に取付冶具を配置し、この取付冶具を介して基布の上面に、一つまたは適宜間隔をおいて複数個の磁気を発生する永久磁石を取付冶具に嵌着した磁性体との吸引により所定位置に設置し、裏面にはホットメルトタイプの融着テープを設けた磁気の透過を妨げない永久磁石より大径の保護シートで包囲状に被覆して、ホットプレス機で保護シートを加圧加熱して、永久磁石を基布に被覆状に固定してなるものが知られている（たとえば、特許文献１参照）。
【０００６】
特許文献１には、着衣への永久磁石の取付方法も記載されている。そして当該着衣への永久磁石の取付方法は、所定の位置に磁性体を突出しないように略面一状に嵌着した取付冶具を、永久磁石を取付ける着衣の基布の下面側にセットする工程と、取付冶具の磁性体を介して磁気を発生する永久磁石を基布の上面の所定位置に設置する工程と、その裏面にホットメルトタイプの融着テープを設けた磁気の透過を妨げない保護シートを所定の大きさにカットする工程と、一つまたは適宜間隔をおいて複数個の所定位置に設置された永久磁石の上面を包囲するように永久磁石よりも大径にカットされた保護シートを被冠する工程と、ホットプレス機で被覆シートを加圧加熱して永久磁石を基布に被覆状に固定する工程を含むものである。
【０００７】
また、従来、治療器具を接着剤等によって接着させた肌着もあるが、かかる肌着の場合、治療器具の着脱ができないため、取り付け位置を変更することができず、ユーザの要望に従って治療器具の取り付け位置を設定することは困難である。また、洗濯等を繰り返した際に接着剤で接着した前記治療器具が剥がれ落ちる場合がある。
【０００８】
このような問題を解決するものとして、表面ループ状支持体と係着可能である面ファスナーの支持体により係着部が構成された治療器具を着脱自在とする治療器具着脱式肌着であって、内面の全面又は一部が前記面ファスナーの支持体が係着可能な生地で構成されているものが知られている（たとえば、特許文献２参照）。
【０００９】
さらに、直接肌に触れる下着の患部位置に磁石を糊、糸または合成樹脂リベットで取付けるものも従来知られている（たとえば、特許文献３参照）。
【００１０】
【特許文献１】特開２００５−２７３１２１号公報
【特許文献２】特開平１０−３１４３２０号公報
【特許文献３】実開昭６１−８５２４２号公報
【発明の開示】
【発明が解決しようとする課題】
【００１１】
叙上の従来の磁気治療用布帛は、構成部品が多い割には、洗濯等を繰り返した際に磁気治療用布帛に取り付けられた磁石が剥がれ落ちる虞がある。
【００１２】
本発明は、構成部品が少なく、かつ洗濯等を繰り返しても磁気治療用布帛に取り付けられた磁石が剥がれ落ちる虞のない磁気治療用布帛を提供することを目的とする。
【課題を解決するための手段】
【００１３】
本発明の第１の態様にかかわる磁気治療用布帛は、略円盤状を呈した磁石と、
該磁石の外表面全体を実質的に被覆する容器として機能するシリコーン層と
からなる磁気治療具を備え、
前記磁気治療具が加熱・加圧されることによって布帛の表面に固着されてなる
ことを特徴としている。
【００１４】
本発明の第２の態様にかかわる磁気治療用布帛の製法は、（ａ）上型と下型とからなる金型において、そのキャビティーの底部に突起が設けられた下型に熱硬化型シリコーンを注入する工程、
（ｂ）前記工程（ａ）において注入された熱硬化型シリコーン内に、略円盤状を呈した磁石を浸漬する工程、および
（ｃ）前記上型と下型との間に布帛を狭持したのち金型を閉じ、加圧・加熱して成形する工程
を含んでなる
ことを特徴としている。
【００１５】
本発明の第３の態様にかかわる磁気治療用布帛の製法は、（ａ）上型と下型とからなる金型において、そのキャビティーの底部に突起が設けられた下型に、有底略円筒状の凹所を有する中子を装填する工程、
（ｂ）前記中子の凹所内に磁性粉体とシリコーン油の混合物を注入する工程、
（ｃ）前記工程（ｂ）に引き続き、所定の時間加熱し、前記下型から略円盤状の磁石を取り出す工程、
（ｄ）前記工程（ｃ）に引き続き、前記金型の下型に熱硬化型シリコーンを注入する工程、
（ｅ）前記工程（ｄ）において注入された熱硬化型シリコーン内に、前記工程（ｃ）により得られた略円盤状の磁石を浸漬する工程、および
（ｆ）前記上型と下型との間に布帛を狭持したのち金型を閉じ、加圧・加熱して成形する工程
を含んでなる
ことを特徴としている。
【００１６】
また、前記磁性粉体とシリコーン油の配合比率が７：３〜９：１であることが好ましい。
【発明の効果】
【００１７】
本発明の請求項１にかかわる磁気治療用布帛によれば、略円盤状を呈した磁石と、該磁石の外表面全体を実質的に被覆する容器として機能するシリコーン層とからなる磁気治療具を備え、前記磁気治療具が加熱・加圧されることによって布帛の表面に固着されてなる構成を有しているので、構成部品が少なく、かつ洗濯等を繰り返しても磁気治療用布帛に取り付けられた磁石が剥がれ落ちるおそれのない磁気治療用布帛を提供することができる。
【００１８】
本発明の請求項２にかかわる磁気治療用布帛の製法によれば、（ａ）上型と下型とからなる金型において、そのキャビティーの底部に突起が設けられた下型に熱硬化型シリコーンを注入する工程、（ｂ）前記工程（ａ）において注入された熱硬化型シリコーン内に、略円盤状を呈した磁石を浸漬する工程、および（ｃ）前記上型と下型との間に布帛を狭持したのち金型を閉じ、加圧・加熱して成形する工程を含んでなることを構成上の特徴としているので、少ない工程数で、洗濯等を繰り返しても磁気治療用布帛に取り付けられた磁石が剥がれ落ちる虞のない磁気治療用布帛を製造することができる。さらに、請求項３〜４にかかわる磁気治療用布帛の製法によれば、（ａ）上型と下型とからなる金型において、そのキャビティーの底部に突起が設けられた下型に、有底略円筒状の凹所を有する中子を装填する工程、（ｂ）前記中子の凹所内に磁性粉体とシリコーン油の混合物を注入する工程、（ｃ）前記工程（ｂ）に引き続き、所定の時間加熱し、前記下型から略円盤状の磁石を取り出す工程を含んでいるので、請求項２にかかわる製法よりも工程数が多いが、磁性紛体からなる磁石を有する磁気治療具を備えた磁気治療用布帛が得られるので、身体へ装着した際に、体の動きに伴って磁気治療具が多少とも変形することができるため、違和感を軽減することができるという利点がある。
【発明を実施するための最良の形態】
【００１９】
添付図面を参照しながら、本発明の磁気治療用布帛を以下に詳細に説明する。
【００２０】
図１〜４は本発明の磁気治療用布帛の製造工程を示す説明図である。
【００２１】
実施の形態１
図１および図２を参照しながら本実施の形態の磁気治療用布帛の製法を説明する。
【００２２】
まず、工程（ａ）において、プレス機として機能する上型３と下型１とから構成される金型の下型１に設けられた円筒状のキャビティーＣ内に熱硬化型シリコーン４を注入する（図２（ａ）参照）。なお、熱硬化型シリコーンとして、ＲＴＶシリコーンが好適に採用される。
【００２３】
ついで工程（ｂ）において、前記工程（ａ）において注入された熱硬化型シリコーン４内に、円盤状を呈した磁石５を浸漬する（図２（ｂ）参照）。図１に示されるように、下型１のキャビティーＣの底部Ｃａには３つの突起２が突設されている（突起２の数は３に限られない。４、５またはそれ以上も設けてもよい）。また、磁石５の直径は、キャビティーＣの直径よりも小さい。このため、磁石５を下型１のキャビティーＣに装填すると、図示されているように、磁石５は突起２を除いて熱硬化型シリコーン４に取り囲まれている。
【００２４】
しかる後、工程（ｃ）において、上型３と下型１との間に布帛Ｆを狭持したのち金型（１、３）を閉じ、所定の圧力、温度および時間条件で加圧・加熱して成形する(図２（ｂ）参照）。なお、布帛Ｆとしては、たとえばポリウレタン（ＰＵ）９５％と綿５％からなるものが好適に採用される。
【００２５】
最後に、金型（１、３）を開き、容器として機能する硬化したシリコーン４に収容された状態の磁石５が布帛Ｆに密着されたもの（すなわち、容器として機能する硬化したシリコーン４に収容された状態の磁石５が布帛Ｆに密着したものを金型（１、３）から取り出すと、略円盤状を呈した磁石５と、磁石５の外表面全体を実質的に被覆する容器として機能するシリコーン層４とからなる磁気治療具を備えた磁気治療用布帛が得られる。
【００２６】
実施の形態２
図３および４において、下型１のキャビティーＣに有底筒状の中子６を装填する（図４（ａ）参照）。
【００２７】
その後、中子６の凹所Ｒ内に注入装置７あるいは人手によって磁性粉体とシリコーン油の混合物を注入する。このとき、凹所Ｒ内で、適切な時間放置すると、比重の大きい磁性粉が下方に沈降し、磁性粉を主体とする層と該磁性粉を主体とする層上のシリコーン油層とが形成される。そして、電気炉に装填して、温度約１２０℃で１０分間加熱すると、磁性粉を主体とする層上のシリコーン油層が硬化されてシリコーン層が形成された円盤状の磁石５が得られる。なお、磁性粉体とシリコーン油の配合比率は７：３〜９：１であることが好ましい。なぜなら、磁化の強さを強くすることができるからである。
【００２８】
ついで、実施の形態１で説明したとおり、上型３と下型１とから構成される金型の下型１に設けられた円筒状のキャビティーＣ内に熱硬化型シリコーン４を注入する（図２（ａ）参照）。その後、熱硬化型シリコーン４内に、円盤状を呈した磁石５を浸漬する（図２（ａ）参照）。しかる後、上型３と下型１との間に布帛Ｆを狭持したのち金型（１、３）を閉じ、所定の圧力、温度および時間条件で加圧・加熱して成形する(図２（ｂ）参照）。そして最後に、金型（１、３）を開き、容器として機能する硬化したシリコーン４に収容された状態の磁石５が布帛Ｆに密着されたものを金型（１、３）から取り出すと、ほぼ円盤状を呈した磁石５と、磁石５の外表面全体を実質的に被覆する容器として機能するシリコーン層４とからなる磁気治療具を備えた磁気治療用布帛が得られる。
【図面の簡単な説明】
【００２９】
【図１】本発明の実施の形態１にかかわる磁気治療用布帛の製造用金型を示す平面説明図である。
【図２】本発明の実施の形態１にかかわる磁気治療用布帛の製造用工程を示す説明図である。
【図３】本発明の実施の形態２にかかわる磁気治療用布帛の製造用金型を示す平面説明図である。
【図４】本発明の実施の形態２にかかわる磁気治療用布帛の製造工程を示す説明図である。
【符号の説明】
【００３０】
１    下型
２    突起
３    上型
４    熱硬化型シリコーン
５    磁石
６    中子
７    磁性粉体とシリコーン油の混合物を注入する注入器
８    磁性粉とシリコーン油とが混ぜられた混合物
Ｃ    キャビティー
Ｃａ  底部
Ｆ    布帛
Ｒ    凹所
【図１】
0004834447.tif 000002
【図２】
0004834447.tif 000003
【図３】
0004834447.tif 000004
【図４】
0004834447.tif 000005